(57)【要約】【課題】植物の品種改良において、遺伝子工学上の技術で水稲の種籾やトオモロコシの種子等の稲科植物の種子を、処理することによって収量を増やすには限界があり、遺伝子工学上の手法では安全性に問題がある。【解決手段】本発明のように植物の種子をイオン水への浸漬処理工程、磁場処理工程、電場処理工程、養生処理工程、乾燥処理工程等の物理処理をすることで稲科植物は２割増収できる。更に、本発明の処理工程により、細菌、根粒菌との共生関係を可能にしたため根粒菌から空気中の窒素を取り込むため、窒素肥料を不要とする。また、改良された種子を遠赤外線電磁波熱や高電圧を印加させて育種、育苗することで安全性の高い物理処理苗が出来、課題は解決する。【選択図】      図２
2007117066.tif 000002
【特許請求の範囲】
【請求項１】
植物の種子を磁場又は電場を用いて物理処理する方法において、該物理処理の前処理として、種子を浸漬するイオン水においては、軟水に負荷電圧を印加したイオン水にして浸漬することを特徴とする植物種子の物理処理方法。
【請求項２】
植物の種子を磁場又は電場を用いて物理処理する方法において、前記請求項１に記載した負荷電圧処理のイオン水に、植物の種子を浸漬させた後、該浸漬種子を更に磁場のＳ極、Ｎ極に接近させ暴露させる磁場処理工程を特徴とした植物種子の物理処理方法。
【請求項３】
植物の種子を磁場又は電場を用いて物理処理する方法において、前記請求項２に記載の磁場処理工程を完了した植物の浸漬種子を、更に、電場に暴露させる電場処理工程を特徴とした植物種子の物理処理方法。
【請求項４】
請求項２又は請求項３に記載の磁場処理工程と電場処理工程を経過した浸漬種子を、更に、２℃〜１０℃の温度に設定した冷蔵庫で２〜３日浸す浸漬工程を特徴とした植物種子の処理方法。
【請求項５】
前記請求項４に記載の浸漬工程を終えた浸漬種子を、通常乾燥の他、カーボン系発熱体に通電し発生する遠赤外線電磁波熱を送風装置に組み込んで乾燥させることを特徴とする植物種子の物理処理方法。
【請求項６】
請求項１乃至請求項５の処理方法による植物の種子、又は未処理種子を、カーボン系発熱体の上に設置し、負荷電圧をカーボン系発熱体に伝導させ、種子に暴露させて育苗効果をもたらす育種、育苗方法。
【請求項７】
請求項１乃至請求項５の処理方法による植物の種子、又は未処理種子を、カーボン系発熱体の上に設置し、通電することで発生する遠赤外線電磁波熱を種子に放射させて育苗効果をもたらす育種、育苗方法。
【請求項８】
請求項１乃至請求項５の処理方法による植物の種子、又は未処理種子を、カーボン系発熱体の上に設置し、該カーボン系発熱体に負荷電圧を伝導させ種子に暴露させると共に、通電による遠赤外線電磁波熱とを交互に自動制御し、暴露又は照射させ育苗効果をもたらす育種、育苗方法。
【発明の詳細な説明】
【技術分野】
【０００１】  本発明は、稲科植物やトウモロコシの種子の処理方法に係り、特に物理的処理を行うだけで窒素肥料が不要となり更に収量の増加や食味の向上が得られる稲科植物の種子の処理方法と、又更に、特殊カーボン発熱体利用の物理、温熱効果による育種、育苗方法に関するものである。
【背景技術】
【０００２】  従来植物の品種改良は体細胞や葉からＤＮＡ（遺伝子）の組み替え、又はコバルト等の放射線は一般的である。本発明のように物理的な方法での磁場又は電場を使用した特許出願（特願平１０−３６１９９２）は既になされている。主たる特徴は、種子に直接ねずみ鋳鉄製の鉄体を適応し電場処理することで鉄イオンを吸着させ育成遺伝子の活性化を図るものである。更に出願人は特許出願（特願平１１−２９０６３１）で装置の発明として円盤状の本体の上面に円筒状の容器を複数個配列し、当該本体を回転させることにより当該本体の外方周囲に設けられる永久磁石及び電極板により磁場及び電場に暴露するという植物の種子の処理装置が開示されている。【０００３】  本発明の物理的な処理方法は前記２例の特許出願とは異なる。物理処理方法の電場処理で、導電体上にねずみ鋳鉄製の鉄体を介在し植物の種子を直接電場処理することで、鉄イオンを種子に吸着させることは考えずらい。この場合負荷電圧を導電体に印加させて種子にマイナスイオンを増幅させる効果はあるが、ねずみ鋳鉄製の鉄体を介在させての鉄イオン効果は薄い。更に磁場だけ種子に暴露させても品種改良はしないことが判明している。【０００４】  先願特許願では、植物の種子に直接磁場と電場を暴露させる方法は長時間の処理が必要となる。植物の種子の細胞分裂を起こさせるには、本発明のように植物の種子を最初からマイナス電荷を帯びたイオン水に浸し、磁場処理と電場処理をする方が品種改良効果は高い。【０００５】  本発明の育種、育苗方法に使用するカーボン系発熱体に、負荷電圧を印加させて起きる微振動及びマイナスイオン作用による育種、育苗効果は高い。特に植物の育成には温度は不可欠であり、その問題もカーボン系発熱体に電気を流すことによる遠赤外線電磁波熱が育種、育苗を解決させる。最近ＬＥＤを照射し消毒と共に育苗にも適応している。
【発明の開示】
【発明が解決しようとする課題】
【０００６】  本発明は植物の種子を物理的処理で品種改良する方法を提供することを目的としている。本発明の効果は従来になく、２割以上の収量の増大と窒素肥料が不要であり、食味を増大させることのできる、稲科植物の種子の処理方法を目的とする。
また、本発明は、安全性に問題のない、稲科植物の種子の処理方法を提供することを目的とする。
【課題を解決するための手段】
【０００７】  本発明者は、前記（特願平１０−３６１９９２）の内容とは根本的に相違する。それは稲科植物の種子を最初にマイナスイオン水に浸漬させることである。その浸漬種子を磁場処理した後電場処理する。この処理した種子を２℃〜１０℃の冷蔵庫で２日〜３日養生させる、最後に、カーボン系発熱体から放射する遠赤外線電磁波熱と送風とで乾燥させ物理的処理種子ができる。以上の如く本発明は鉄イオンの理論は採用していない。
更に、マイナス高電位をカーボン面発熱体に伝導させ、発熱体上の発明種子に暴露させると共に前記種子に微振動を与えて育種、育苗する。又、前記カーボン系発熱体は通電することで遠赤外線の電磁波熱を放射し、発芽から育苗までの育種の温熱役割も果たす。
また、冬季育苗は電位と温熱を交互に制御させ育種の役割と苗の育成に適応させる。更に散水装置とＬＥＤの照射装置も備える。
【課題を解決するための手段】
【０００６】  請求項１の発明は、磁場又は電場処理する前に軟水に負荷電圧を印加しマイナスイオン水を作る。このイオン水に種子を浸漬させて物理処理すると細胞分裂による共生遺伝子の復活が早まる。【０００７】  請求項２の発明は、請求項１に記載したイオン水の浸漬種子を、磁場のＳ極とＮ極に接近させ暴露させる浸漬工程を含む磁場処理工程を特徴としたものである。【０００８】  請求項３の発明は、請求項２に記載した磁場処理工程を完了した浸漬種子を、更に、電場に暴露させる電場処理工程を特徴としたものである。【０００９】  請求項４の発明は、前記磁場処理工程又は電場処理工程を得た浸漬種子を、更に、２℃〜１０℃の温度に設定した冷蔵庫で４８時間程度浸す浸漬工程を特徴としたものである。【００１０】  請求項５の発明は、浸漬工程を終えた浸漬種子を、カーボン系発熱体に通電し発生する遠赤外線電磁波熱を送風装置と共に組み込み乾燥させて物理処理種子が完成する。【００１１】  請求項６の発明は、請求項１から請求項５までの処理方法による植物の種子、又は未処理種子を、カーボン系発熱体上で印加されるように設置させた後、カーボン系発熱体に負荷電圧を伝導させ、種子に暴露させて育種、育苗効果をもたらしたものである。【００１２】  請求項７の発明は、請求項１から請求項５までの処理方法による植物の種子、又は未処理種子を、カーボン系発熱体の上に設置し、通電することで発生する遠赤外線電磁波熱を種子に放射させて育種、育苗効果をもたらしたものである。【００１３】  請求項８の発明は、請求項１から請求項５までの処理方法による植物の種子、又は未処理種子を、カーボン系発熱体の上に設置し、カーボン系発熱体に負荷電圧を伝導させ種子に暴露させると共に、通電させて遠赤外線電磁波熱を放射させる相乗効果構造のコントローラーを自動制御方式にして育種、育苗をもたらしたものである。
【発明を実施するための最良の形態】
【００１４】  （処理方法）植物の種子の物理処理方法と育種、育苗方法に分けて説明する。
本発明の物理処理は、第１に前処理工程として、軟水に負荷電圧を印加し小クラスターの多いマイナスイオン水を作り、そのイオン水に植物の種子を浸漬させる。
第２に、前記浸漬種子を磁場に暴露させる磁場処理工程を経過した後、第３に磁場処理後の浸漬種子を電場処理する。第４に電場処理後の浸漬種子を冷蔵庫で養生処理させた後、最後に浸漬種子を乾燥装置を用いて乾燥させて種子の物理処理は完了する。
次に、物理処理種子又は未処理種子の育種、育苗方法において、カーボン系発熱体を採用し、高電位伝導体又は電流による遠赤外線電磁波熱発生体として適応し、コントローラーで自動制御させて植物の種子の育種、育苗方法に用いる。【００１５】  以下に、浸漬処理工程と磁場処理工程と電場処理工程とを得て、更に養生工程の後乾燥工程に分けて説明する。
１、浸漬処理工程
軟水に交流電圧で５．００ＫＶ以上の負荷電圧を印加させ小クラスターのマイナスイオン水を生成する。このイオン水に植物の種子を浸漬させ、周囲を防水保護し他の物理処理工程に支障のない範囲に包装する。負荷電圧の印加時間は、１２〜２４時間にわたって浸漬処理するのが好ましい。
２、磁場処理工程
前記浸漬工程を終了した植物の種子を、磁場が形成されたＳ極、Ｎ極の磁場雰囲気中に一定時間暴露させ磁場に当てることにより実施する。磁場雰囲気中の磁場の磁力は、３，０００〜５，０００Ｇｓ程度が好ましい。磁場の暴露時間は植物の種子により異なる。【００１６】  磁場処理工程は、例えば、図１に示したような磁場形成装置１を用いて実施することができる。この磁場形成装置１は、円柱形をした磁芯である固定シャフト２と、可動シャフト３と、コイル４等からなる。固定シャフト２と可動シャフト３は同軸上に対向配置されておる、可動シャフト３は、固定シャフト２に近づく方向と離れる方向とに移動可能である。そして、固定シャフト２と固定シャフト２の側部には、それぞれ、磁場形成用に導電性コイル４が巻かれている。【００１７】  ５は透磁率の高い材料からなるステージを示す。このステージ５は、固定シャフト２と可動シャフト３との間のギャツプ中に、それぞれのシャフト２、３から離れて、且つそれぞれのシャフト２、３に対向するように、（図示しない支持手段〉によって配置されている。実際に上記の磁場形成装置１を用いて磁場処理を実施する場合には、ステージ５上に、処理対象物である植物の浸漬種子を入れた袋６を載せ磁場を暴露させる。【００１８】３、電場処理工程
前記１、浸漬処理工程と２、磁場処理工程を終えた植物の浸漬種子は、電場処理工程として５．００ｋＶ〜１０．００ｋＶの交流の負荷電圧で暴露させる。
なお、電源電圧は通常トランスから出力させ発生させているが、負荷電圧はトランスの出力電圧とは異なり、処理対象物である植物の浸漬種子に負荷される電圧を意味する。また、電場の暴露時間、即ち電圧を印加する時間は、処理する植物の浸漬種子の数量、電場形成の装置の規模等によって異なる。【００１９】  電場処理工程は、例えば、図２に示したような電場形成装置７を用いて実施することができる。この電場形成装置７は、電床シート８と、可変トランス９等からなる。
電床シート８は、カーボン面抵抗体を上下からポリエチレンフイルムで被覆する。大きさは幅８０ｃｍ、長さ１００ｃｍの伝導体とする、更に防水保護のため伝導体の上下全面はポリエチレンフイルムで絶縁保護されている。電床シート８には、その一端に可変トランス９が接続されている。実際に電場処理を実施する際には、前記磁気処理工程を終了した植物の浸漬種子が入った袋１０を電床シート８の上に載せる。その後可変トランス９をオンにして、カーボン系発熱体８に７．５ｋＶの電圧を印加する。電場処理時間は６〜８時間程度が望ましい。因みに、可変トランス９は、１００Ｖの交流電圧を最大で１５ｋＶ程度まで昇圧できる仕様のものが実用的である。【００２０】４、養生処理工程
前記磁場処理工程又は電場処理工程を終了した植物の浸漬種子を、冷やす工程として、２℃〜１０℃の温度の冷蔵庫で４８〜７２時間浸し養生する。
５、乾燥処理工程
前記養生処理した浸漬種子を、前記カーボン系発熱体上に分散して置き、カーボン系発熱体に通電することによる遠赤外線電磁波熱の割合を２とし、送風８の割合の乾燥装置で乾燥させる。この場合の浸漬種子周辺温度は１０℃以下とする。【００２１】６、育種、育苗工程
前記の如く、物理処理による植物種子の品種改良と、更に、カーボン系発熱体応用による育種、育苗効果も本発明の重要ポイントである。
その１に、カーボン系発熱体の上に植物の種子を配置し、その発熱体を伝導体として負荷高電圧をかけ、種子に暴露させることで育種効果と育苗効果が図れる。
その２に、カーボン系発熱体の上に植物の種子を配置し、その発熱体に通電することによる遠赤外線電磁波熱で、育種効果と育苗効果が図れる。
その３に、カーボン系発熱体の上に植物の種子を配置し、その発熱体に負荷高電圧と電流とを交互にコントローラーで自動制御させて、育種効果と育苗効果が図れる。【００２２】  育種、育苗工程は例えば、図３に示すとおりＡは移動式育苗ＢＯＸである。重要なカーボン系発熱体Ｄー１〜Ｄーｘは、各棚Ａー１〜Ａーｘの底板の上に断熱材と共に設置されている。発芽育苗箱Ｃａ〜Ｃｘには、前記物理的処理された種子が配列挿入されている。移動式育苗ＢＯＸ  Ａの側壁面には、Ｅの電源ＢＯＸと高電位発生装置Ｂが具備されている。負荷電圧と電流の自動制御装置はＥの電源ＢＯＸに内蔵されている。更にＦー１〜ＦーｘのＬＥＤは、各棚Ａー１〜Ａーｘの天板にとりつけられる。
図４は、前記カーボン系発熱体Ｄの平面図である。その発熱体の両側縁部には電極帯が具備されており、その両端にはａとｂの端子がとりつけられている。更に、各棚の面発熱体から±の電源コードＤａと、ｂ端子の一端から自動制御装置迄に負荷電圧コードＢー１とがとりつけられる。カーボン系発熱体Ｄは、綿織布の両側縁部に電極帯を織り成した基布にカーボンインクを塗布含浸させた抵抗体であり、また、導電体でもある。
図５は、ビニールハウスＰａ内における育種、育苗装置の断面図である。育苗土台Ｈの上にＵ字型構造の樹脂枠Ｇを組み立て、その上に断熱材とカーボン系発熱体Ｄが敷設される。前記物理的処理の種子、または、通常の種子は発熱体Ｄ上の育苗箱Ｃａ〜Ｃｘに入れて育種、育苗処理される。更に、温度管理として小ビニールハウスＰｂを設ける。
また、育苗土台の一部にＥの電源ＢＯＸとＢの高電位発生装置と両方機能を制御するコントローラーが設けられる。
【発明の効果】
【００２３】植物の種子を物理処理された浸漬種子は、エネルギー生成を行い細胞分裂や細胞伸長をはじめ無発芽もなく完全幼根となる。又負荷高電圧はマイナスイオン効果をもち、ＰＨ（ペーハー）を整え食味も高く、更に共生遺伝子の復活による品種改良効果も高い。
種子をイオン水で浸漬させた浸漬種子を、磁場と電場が振動しながら照射する電磁波で植物の有効分ケツの発生を活発にさせる。その現象は田植え以降３０日間で促進される。
その結果２割の増収を得る。又更に、台風が来ても草勢が旺盛で茎稈が丈夫で完全倒伏もないため立ち直りがはやい。その上高食味植物が栽培される。
【００２４】  本発明の浸漬処理工程、磁場処理工程、電場処理工程、養生処理工程、乾燥処理工程を得た植物種子は、共生遺伝子の復活を起こし、細菌、根粒菌との共生関係を可能にしたため根粒菌から空気中の窒素を取り込むため、土壌からの窒素肥料を不要とし、且つ、やせた土地でも成長できた実績を持つ。（高知県、静岡県、新潟県で実験済み）
【００２５】  育種、育苗に用いるカーボン系発熱体は、熱を発生する抵抗体であると共に、電圧を伝導する伝導体である。本発明の、例えば、移動式育苗装置、または、ビニールハウス内育苗装置に使用するカーボン系発熱体は、電流による１０μ前後の遠赤外線電磁波の熱量で均一で丈夫な苗が出来ると共に、前記発熱体を負荷電圧の伝導体にすることで、マイナスイオンの物理効果と、微振動とで均一な丈夫な苗が出来る。更に遠赤外線効果と負荷電圧効果を交互にコントローラーで自動制御させることで育種、育苗の相乗効果をもたらす。
【産業上の利用可能性】
【００２６】  本発明の適応は、稲科植物の種子、トウモロコシの種子、等の品種改良に検討出来る。育種、育苗システムは、スイカ、メロンの種子から苗まで多くの実績をもっている。
【図面の簡単な説明】
【００２７】
【図１】  磁場形成装置の正面図である。
【図２】  電場形成装置の斜視図である。
【図３】  箱型育苗システムの斜視図である。
【図４】  カーボン系発熱体の平面図である。
【図５】  ビニールハウス内の育苗断面図である。
【符号の説明】
【００２８】        １…磁場形成装置
２…固定シャフト
３…可動シャフト
４…コイル
５…ステージ
６…浸漬一次処理種子
７…電場形成装置
８…電床シート
９…可変トランス
１０…浸漬二次処理種子
Ａ…移動式育苗ＢＯＸ
Ａー１〜Ａｘ…育苗ＢＯＸ棚
Ｂ…高電位発生装置
Ｂー１…高電位電導コード
Ｃａ〜Ｃｘ…発芽育苗箱
Ｄ…カーボン系発熱体
Ｄａ…電源コード
Ｅ…電源ＢＯＸ
Ｆー１〜Ｆーｘ…ＬＥＤ
ａ…電極端子
ｂ…電極端子
Ｐａ…ビニールハウス
Ｐｂ…小ビニールハウス
Ｇ…Ｕ字型樹脂育苗箱
Ｈ…固定式土台
【図１】
2007117066.tif 000003
【図２】
2007117066.tif 000004
【図３】
2007117066.tif 000005
【図４】
2007117066.tif 000006
【図５】
2007117066.tif 000007